(57)【要約】  【課題】  ゴミ収集場に簡単に設置できて、カラスに本能的に恐怖心を与えられて、有効にカラスを忌避できるカラス忌避具を提供するにある。  【解決手段】  ５００〜１２００ｍｍ等の所定の間隔を隔てて形成した枠体２の間に３０〜１５０ｍｍの間隔で釣糸やエナメル線、針金糸等の複数本の細線８を張設した持ち運び可能な忌避具本体３とするとともに、忌避具本体３に立設支持材を設けて所定長さのポール４を接続して設置台に立設するようにしている。また、枠体２面に対して垂直状に補助体１０を開閉可能に枠体２に配設し、この補助体１０にも３０〜１５０ｍｍ位の間隔で釣糸やエナメル線、針金糸等の複数本の細線１６を張設している。枠体２や補助体１０には、釣糸やエナメル線、針金糸等の細線８、１６を風によって搖動可能な張力としてスプリング７、１５を介して張設でき、枠体２および／または補助体１０および／または細線８、１６に黒色や黄色の蛍光塗料１９または蛍光テープを付着するのが好ましい。【選択図】        図１
0003123752.tif 000002
【実用新案登録請求の範囲】
【請求項１】
飲食物を含むゴミ収集場やゴミ捨て場にカラスが飛来するのを防止するカラス忌避具であって、
所定の間隔を隔てて形成した枠体間に３０〜１５０ｍｍの間隔で釣糸やエナメル線、針金糸等の複数本の細線を張設してカラスを忌避する持ち運び可能な忌避具本体を形成し、
上記忌避具本体に立設用支持部を設けてゴミ収集場やゴミ捨て場に設置してカラスを忌避するように形成したことを特徴とするカラス忌避具。
【請求項２】
５００〜１５００ｍｍの大きさの枠体面に対して垂直状に補助体を開閉可能に枠体に配設し、この補助体にも３０〜１５０ｍｍ位の間隔で釣糸やエナメル線、針金糸等の複数本の細線を張設した請求項１に記載のカラス忌避具。
【請求項３】
枠体や補助体に釣糸やエナメル線、針金糸等の５ないし７本の複数本の細線を風によって搖動可能な張力としてスプリングを介して張設した請求項１または２に記載のカラス忌避具。
【請求項４】
枠体および／または補助体および／または細線に黒色や黄色の蛍光塗料または蛍光テープを付着した請求項１ないし３のいずれかに記載のカラス忌避具。
【請求項５】
忌避具本体に立設用支持部に所定長さのポールを接続して設置台に立設し、立設用のポールに所定の角度に傾け可能に忌避具本体を配設した請求項１ないし４のいずれかに記載のカラス忌避具。
【考案の詳細な説明】
【技術分野】
【０００１】
本考案は、鳥害防止分野におけるゴミ収集場やゴミ捨て場にカラスが飛来するのを防止するカラス忌避具に関するものである。
【背景技術】
【０００２】
近年、家庭や業務での飲食物の生ゴミは、所定のゴミ袋に収容して所定のゴミ収集場に収集し、ゴミ収集車で収集して廃棄処分するようになっている。
【０００３】
ところが、ゴミ袋がゴミ収集場に夜間や朝方に収集されると、朝になってカラスがゴミ袋の中の飲食物を狙って群がり、ゴミ袋をつついて破って収容物を散乱することが生じている。そのため、近隣者らは、大変迷惑でカラスを撃退することに種々の方策を企てている。たとえば、収集したゴミ袋をネットや柵等で囲んだり、特開２００１−３３３６８４号公報や特開２００３−２５０４２２号公報などのカラス追い払い装置が提案されている。
【０００４】
しかし、収集したゴミ袋をネットや柵等で囲むと、カラスの攻撃を防止できるが、ゴミ袋の収集や廃棄処理に手間がかかる。
また、特開２００１−３３３６８４号公報や特開２００３−２５０４２２号公報のカラス追い払い装置では、基盤に線材を垂設してその先端部に球状反射部材を取り付けたり、ポールの間にテグスを張設してスジ網を吊り下げたりして、線材やスジ網が微風で搖動して太陽光の反射でカラスを撃退するようにしているが、カラスは学習能力が高くて、一時的に対処できても、再びカラスが群がって収容物の散乱を繰り返すものであった。
【特許文献１】特開２００１−３３３６８４号公報
【特許文献２】特開２００３−２５０４２２号公報
【考案の開示】
【考案が解決しようとする課題】
【０００５】
本考案は、ゴミ収集場に簡単に設置できて、カラスに本能的に恐怖心を与えられて、有効にカラスを忌避できるようにすることにある。
【課題を解決するための手段】
【０００６】
本考案は、上記のような点に鑑みたもので、上記の課題を解決するために、飲食物を含むゴミ収集場やゴミ捨て場にカラスが飛来するのを防止するカラス忌避具であって、所定の間隔を隔てて形成した枠体間に３０〜１５０ｍｍの間隔で釣糸やエナメル線、針金糸等の複数本の細線を張設してカラスを忌避する持ち運び可能な忌避具本体を形成し、上記忌避具本体に立設用支持部を設けてゴミ収集場やゴミ捨て場に立設してカラスを忌避するように形成したことを特徴とするカラス忌避具を提供するにある。
【０００７】
また、５００〜１５００ｍｍの大きさの枠体面に対して垂直状に補助体を開閉可能に枠体に配設し、この補助体にも３０〜１５０ｍｍ位の間隔で釣糸やエナメル線、針金糸等の複数本の細線を張設したカラス忌避具を提供するにある。
【０００８】
また、枠体や補助枠体に釣糸やエナメル線、針金糸等の５ないし７本の複数本の細線を風によって搖動可能な張力としてスプリングを介して張設したカラス忌避具を提供するにある。
【０００９】
さらに、枠体および／または補助体および／または細線に黒色や黄色の蛍光塗料または蛍光テープを付着したカラス忌避具を提供するにある。
【００１０】
さらにまた、忌避具本体に立設用支持部に所定長さのポールを接続して設置台に立設して、立設用のポールに所定の角度に傾け可能に忌避具本体を配設したカラス忌避具を提供するにある。
【考案の効果】
【００１１】
本考案のカラス忌避具は、所定の間隔を隔てて形成した枠体間に３０〜１５０ｍｍの間隔で釣糸やエナメル線、針金糸等の複数本の細線を張設してカラスを忌避する持ち運び可能な忌避具本体を形成し、上記忌避具本体に立設用支持部を設けてゴミ収集場やゴミ捨て場に立設してカラスを忌避するように形成することによって、カラス忌避具を簡単に持ち運べてゴミ袋収集場に設置でき、忌避具本体に張設した複数本の細線や複数本の細線が風によって搖動して忌避音を発生することで、カラスに本能的に恐怖心を与えてカラスを忌避することができる。なお、ゴミ収集日以外の必要でないときは、容易に収納して保管できて、いたずら等による損傷から保護することができる。
【００１２】
また、５００〜１５００ｍｍの大きさの枠体面に対して垂直状に補助体を開閉可能に枠体に配設し、この補助体にも３０〜１５０ｍｍ位の間隔で釣糸やエナメル線、針金糸等の複数本の細線を張設することによって、上方や下方に飛来したカラスに対して枠体および補助体、枠体間および補助体に張設した細線を立体的に視認させて、より恐怖心を与えることができる。
【００１３】
また、枠体や補助体に釣糸やエナメル線、針金糸等の５ないし７本の複数本の細線を風によって搖動可能な張力としてスプリングを介して張設することによって、枠体、補助体に張設する５ないし７本の複数本の細線をそれぞれ弾力的に保持でき、風による搖動やその忌避音を有効に発生できる。
【００１４】
さらに、枠体および／または補助体および／または細線に黒色や黄色の蛍光塗料または蛍光テープを付着することによって、カラスに枠体や補助体、細線の蛍光塗料や蛍光テープを視認させて、よりカラスを忌避させられる。
【００１５】
さらにまた、忌避具本体に立設用支持部に所定長さのポールを接続して設置台に立設して、立設用のポールに所定の角度に傾け可能に忌避具本体を配設することによって、ゴミ袋収集場に所定高さにポールを介して設置台に忌避具本体１０００〜２５００ｍｍの高さに設置でき、さらにカラス忌避具を所定の角度で傾けられてカラスを忌避させられる。
【考案を実施するための最良の形態】
【００１６】
本考案のカラス忌避具は、飲食物を含むゴミ収集場やゴミ捨て場にカラスが飛来するのを防止するカラス忌避具であって、所定の間隔を隔てて形成した枠体間に３０〜１５０ｍｍの間隔で釣糸やエナメル線、針金糸等の複数本の細線を張設してカラスを忌避する持ち運び可能な忌避具本体を形成し、上記忌避具本体に立設用支持部を設けてゴミ収集場やゴミ捨て場に設置してカラスを忌避するように形成したことを特徴としている。
【００１７】
カラス忌避具１は、図１〜図４のように矩形状等の枠体２で形成する忌避具本体３をポール４等を介して設置台５に立設するようにし、所定のゴミ捨て場に簡単に持ち運んで設置してカラスを忌避するようにしている。そして、ゴミ収集日以外の必要でないときは、容易に収納して保管できて、いたずら等による損傷から保護できるようにしている。
【００１８】
上記枠体２としては、図１、図３のように容易に持ち運び可能に５００〜１２００ｍｍ×７００〜１５００ｍｍ位の大きさの矩形状や多角形状に木材やプラスチック材、軽量金属材で形成することができ、その両側枠６間に図のように両端部または一端部に所定の弾力のコイルスプリング等のスプリング７を介して釣糸やエナメル線、針金等の５ないし７本の複数本の０．３〜１．０ｍｍ径等の細線８を３０〜１５０ｍｍ位、好ましくは５０〜１００ｍｍの間隔で平行状に側枠６に突設した止め用リング等の張設具９に張設し、風によってこれらの細線８が水平状に揺れるとともに、風による渦で音を発生するようにしている。これらの細線８は、一本でジグザグ状に係止して張設具９に張設することもできる。
【００１９】
そしてまた、この枠体２の上部に補助体１０を水平状に回転可能にボルト・ナット等の枢支具１１で枠体２の中央に取着し、図２、図４のようにこの補助体１０にも３０〜１５０ｍｍ位、好ましくは５０〜１００ｍｍの間隔で止め用リング等の張設具１２を突設し、枠体２の下側の水平材１３の中央部に止め用リング等の張設具１４を突設して、図２、図４のように所定の弾力のコイルスプリング等のスプリング１５を介して釣糸やエナメル線、針金等の５ないし７本の複数本の細線１６を上記張設具１２、１４にそれぞれ斜め状として軸対称状に張設し、風によってこれらの細線１６が揺れるとともに、風による渦で音を発生するようにしている。補助体１０にも、細線８を一本でジグザグ状に係止して張設具９に張設することもできる。
【００２０】
また、上記補助体１０は、ボルト・ナット等の枢支具１１を締弛することによって、図１、図２のように枠体２に垂直状に突き出して設置したり、枠体２にほぼ平行状に折り畳んで容易に持ち運べるようにできる。必要により、補助体１０は、枠体２の下部の水平材１３側にも配設して細線１６を垂直状に張設するようにもできる。
【００２１】
また、上記のように形成した忌避具本体３の下端部である枠体２の中央部に、図１〜図４のように水平材１３に垂直状に立設支持部１７を下方へ突設して、１０００〜２０００ｍｍ長さのポール４の上端部に嵌装したりしてボルト等の止め具１８で固定するようにし、ポール４の下端部を所定の重さとした円盤状等のコンクリートブロックの設置台５に挿入して、図１のように所定のゴミ捨て場に簡単に持ち運んで設置してカラスを忌避するようにしている。なお、立設支持部１７を下方へ長く突設して、直接に設置台５に挿入して設置することもできる。
【００２２】
このように構成したカラス忌避具１の忌避具本体３の枠体２の外側面や補助体１０の外側面および細線１１、１６には、大型の鳥の色彩の黒色や黄色等の蛍光塗料１９や蛍光テープを付着し、忌避具本体３が大型鳥のような何か奇怪な鳥のように似せてかつ蛍光体によってにらんでいるように見えるようにするのが、カラスに恐怖心を与えられてより好ましい。なお、蛍光塗料１９や蛍光テープは、枠体２の外側面や補助体１０の外側面および細線１１、１６の全面や、一部に目玉状に丸形状等として所定の間隔で付着したりするなど適宜に行うことができる。
【００２３】
また、ポール４は、図５のように忌避具本体３を折曲可能に接続具２０を介して接続し、忌避具本体３を所定の角度に傾けるようにすることもできる。
【実施例】
【００２４】
図１〜図４は、本考案のカラス忌避具１の一実施例を示すもので、忌避具本体３を５００ｍｍ×７００ｍｍの枠体２を２５ｍｍ角の木材で形成し、釣糸の細線８をコイルスプリング７を両端に接続して両側の側枠６に取着した止め用リングの張設具９に微風によって搖動可能に１００ｍｍ間隔で水平状に７本を張設した。
【００２５】
また、図３、図４のように枠体２の中央部の上側に補助体１０を２５ｍｍ角の木材で５００ｍｍの長さに形成し、上記したようにして釣糸の細線１６を１００ｍｍの間隔で斜め状に左右３本ずつ左右に軸対称状に６本を張設し、枠体２に折り畳み開閉可能に枢着した。
【００２６】
そして、上記した枠体２、補助体１０の側周面の全面にわたって黄色の蛍光塗料１９を塗着し、上方や下方、前方や後方からでも明確に蛍光塗料１９が光って見えるようにしている。
【００２７】
このような持ち運び自在なカラス忌避具１の下部に突き出した立設支持部１７を１５００ｍｍの長さのポール４の上端に挿入して固定し、ポール４の下端を円盤状のコンクリートブロックの設置台５の挿入孔に挿入して、図１のようにゴミ袋２０を収集したゴミ捨て場に設置して試めした。
【００２８】
その結果、カラスはゴミ捨て場の近くに来ても、枠体２や補助体３に複数本の細線８、１６が張ってあるので、カラスは捕獲される恐怖感や、風によって細線８、１６が揺れて音も生じて、今にもおそってくる恐怖感であろうか、ゴミ袋２０に近寄らずにすぐに飛び去っていくもので、忌避効果が確かめることができた。なお、細線８、１６は、できるだけ弛まなく直線的に張るのが風による音を生じるようにできて好ましい。
【００２９】
また、忌避具本体３の枠体２や補助体３の形状や、補助体３から左右対称状に細線１６を斜め状に張設しているため、カラスは自分よりも数倍も大きい大鷲状や大鷹状にも見えて、いかにも襲撃される恐怖感を感じるのかも知れなく、特に補助体３を突き出したときの効果が大きく、また５ないし７本位の５０〜１５０ｍｍ間隔の複数本の細線８、１６を張設するのが効果的であった。
【００３０】
なお、枠体２は５００×７００ｍｍ位がよく、これより小さいと効果が少なく、１２００×１５００ｍｍ位でも効果が挙げられるが、これ以上大きくすると持ち運びに不便となる。しかし、枠体２を、上方から見て、平行状に配設したり、三角形状や四角形状等に連接するなど、本考案の上記した趣旨にもとづいて適宜に変形態様を実施することができる。
【００３１】
また、カラス忌避具１は、図５のようにポール４に折曲可能に接続して忌避具本体３を傾斜することで、カラス忌避具１の形態を変化させることができ、カラスにさらに恐怖感を与えられるように思われる。
【図面の簡単な説明】
【００３２】
【図１】本考案の一実施例の使用状態を示す説明図、
【図２】同上のカラス忌避具部の側面図、
【図３】同上の他の忌避具本体部の正面図、
【図４】同上の他の忌避具本体部の側面図、
【図５】同上の他の実施例の側面図。
【符号の説明】
【００３３】
１…カラス忌避具    ２…枠体            ３…忌避具本体      ４…ポール
６…側枠            ７…スプリング      ８…細線            ９…張設具
１０…補助体        １２…張設具        １３…水平材        １４…張設具
１５…スプリング    １６…細線
【図１】
0003123752.tif 000003
【図２】
0003123752.tif 000004
【図３】
0003123752.tif 000005
【図４】
0003123752.tif 000006
【図５】
0003123752.tif 000007